(57)【要約】【課題】  二本のピンを駆動する二つの油圧シリンダを背中合わせに組み合わせる二本シリンダ式を前提として、ピンのガタが生じた場合でも両シリンダに無理な荷重が作用せず、シリンダの破損を防止する。【解決手段】  第１及び第２両ピン４１,４２を駆動する両油圧シリンダ４３,４３を、互いのロッド端でシリンダ伸び側反力を伝達し合う状態で互いに独立して直列に配置するとともに、この両油圧シリンダ４３,４３の外周に、両ピン４１,４２をストローク作動可能な状態に支持するガイド部材４８,４８を設ける。このガイド部材４８,４８にはリング状の支持プレート４９,４９を取付け、この支持プレート４９,４９の内周側をロッド端部に対して、シリンダ縮み側反力をガイド部材４８,４８に伝えながらロッド端部の径方向の一定量の動きを許容し得る状態で設けた。【選択図】        図１
2006057837.tif 000002
【特許請求の範囲】
【請求項１】
連結すべき二部材に、間隔を置いて対向するピン穴付きの第１及び第２両連結部が設けられ、第１連結部同士を連結する第１ピン、及び第２連結部同士を連結する第２ピンが、上記両連結部間において直列に並んで、かつ、別々の油圧シリンダにより互いに反対方向にストローク作動して上記ピン穴に対し挿入・離脱する状態で設けられるピン連結装置において、次の要件を具備することを特徴とするピン連結装置。
(Ａ)  上記第１及び第２両ピンを駆動する第１及び第２両油圧シリンダは、それぞれシリンダチューブがピンに対して一体とされ、かつ、互いのロッド端でシリンダ伸び側反力を伝達し合う状態で互いに独立して直列に配置されていること。
(Ｂ)  この両油圧シリンダの外周に、両ピンをストローク作動可能な状態に支持するガイド部材が設けられていること。
(Ｃ)  上記両油圧シリンダのロッド端部に、ロッド端部を支持しながらシリンダ縮み側反力を上記ガイド部材に伝える支持プレートが、ロッド端部の径方向の一定量の動きを許容し得る状態で設けられていること。
【請求項２】
請求項１記載のピン連結装置において、支持プレートがリング状に形成され、この支持プレートの外周側がガイド部材に取付けられる一方、内周側がロッド端部に対し、シリンダ縮み側反力を受けながら互いの間に径方向の隙間が形成される状態で係合するように構成されたことを特徴とするピン連結装置。
【請求項３】
請求項２記載のピン連結装置において、支持プレートが半割りのリング状に形成され、両油圧シリンダのロッド端部に対し径方向に係脱し得る状態でガイド部材に取付けられたことを特徴とするピン連結装置。
【請求項４】
請求項１乃至３のいずれか１項に記載のピン連結装置において、両ピンにそれぞれ外周側に突出する凸部が設けられ、この凸部がガイド部材により回り止めされた状態でストローク作動し得るように構成されたことを特徴とするピン連結装置。
【請求項５】
請求項４記載のピン連結装置において、両ガイド部材が筒状に形成されるとともに、その周壁一部に両ピンのストローク方向に延びる長穴が設けられ、両ピンの凸部がこの長穴に嵌まり込むことによって両ピンが回り止め及びガイドされるように構成されたことを特徴とするピン連結装置。
【請求項６】
請求項１乃至５のいずれか１項に記載のピン連結装置において、ピンの外周に鍔部が設けられる一方、両ガイド部材に、両ピンが両連結部のピン穴に挿入された状態で上記鍔部が当接する第１ストッパと、両ピンがピン穴から離脱した状態で上記鍔部が当接する第２ストッパが設けられたことを特徴とするピン連結装置。
【請求項７】
請求項６記載のピン連結装置において、支持プレートが第２ストッパを兼ねる状態でガイド部材に取付けられたことを特徴とするピン連結装置。
【請求項８】
請求項１乃至７のいずれか１項に記載のピン連結装置において、両油圧シリンダのロッドに、シリンダの伸び側及び縮み側油室に通じる伸び側及び縮み側両油通路が設けられ、この両油通路と外部配管とを接続する配管継手がロッド端部の外周側に設けられたことを特徴とするピン連結装置。
【請求項９】
複数のブームセクションがピン連結装置により着脱可能に連結されて構成されるブームを備え、上記ピン連結装置として請求項１乃至８のいずれか１項に記載のピン連結装置が設けられたことを特徴とするピン連結装置付きの作業機械。
【発明の詳細な説明】
【技術分野】
【０００１】
本発明は各種作業機械において部材同士を油圧駆動式のピンによって着脱可能に連結するピン連結装置、及びピン連結装置付きの作業機械に関するものである。
【背景技術】
【０００２】
高層建造物の解体に使用される超ロングアタッチメント付きの解体機を例にとって従来の技術を説明する。
【０００３】
この解体機は、図８に示すようにクローラ式の下部走行体１と、この下部走行体１上に垂直軸まわりに旋回自在に搭載された上部旋回体２とから成るベースマシンＡの前部に、長尺のブーム３を備えた作業アタッチメントＢが装着されて構成される。
【０００４】
この作業アタッチメントＢのブーム３は、下から順に第１段、第２段、第３段、第４段の各ブーム４，５，６，７が、隣り合うもの同士、水平軸まわりに相対回動可能に連結されて構成され、第１段ブーム４の下端部がベースマシンＡの上部旋回体２に取付けられる。
【０００５】
また、上部旋回体２と第１段ブーム４との間に第１段ブーム４(ブーム全体)を起伏作動させる第１ブームシリンダ８、第１段ブーム４の先端部と第２段ブーム５との間に第２段ブーム５を起伏させる第２ブームシリンダ９、第２段ブーム５と第３段ブーム６との間に第３段ブーム６を起伏作動させる第３ブームシリンダ１０、第３段ブーム６と第４段ブーム７との間に第４段ブーム７を起伏作動させる第４ブームシリンダ１１がそれぞれ設けられている。
【０００６】
各ブームシリンダ８〜１１はブーム下面側に設けられ、この各ブームシリンダ８〜１１によってブーム３全体が起伏し、かつ、図８中に鎖線または破線で示すように各段ブームの連結部分を関節として屈伸動作を行う。
【０００７】
そして、このブーム３の先端(第４段ブーム７の先端)に開閉式の圧砕装置１２が設けられ、この圧砕装置１２によりコンクリート塊等が圧砕されて建物の解体が行われる。
【０００８】
図８中、１３は圧砕装置１２を水平軸まわりに上下に回動させる圧砕装置用シリンダである。また、圧砕装置１２は、向きが可変となるように回転可能に構成され、図示しない油圧モータによって回転駆動される。
【０００９】
このような長尺のブーム３においては、第２段ブーム５以外の各段ブーム４，６，７はそれぞれ１ブロックとしては輸送時の長さ及び重量の制限を超えるため、複数のブームセクションに分解されて輸送され、現場で組立てられる。
【００１０】
たとえば第１段ブーム４は第１(基本)、第２、第３、第４の四つのブームセクションＢｓ‥に分解され、これらが相対向する端部でピン連結される。
【００１１】
図９は第１、第２両ブームセクションＢｓ，Ｂｓを上下両側でピン連結装置１４，１４によって連結した状態を示している。
【００１２】
図１０は他の連結形態として、両ブームセクションＢs,Ｂsの片側(たとえば上側)をＵ字形のフック１００とピン１０１で係合させ、反対側をピン連結装置１４によって連結した場合を示している。
【００１３】
このようにブームセクション同士を両側または片側でピン連結する構造をとる場合に、ピン着脱作業を容易化するために油圧シリンダで連結ピンをストローク作動させる油圧ピン方式をとるものが公知である。
【００１４】
この場合、解体機のような作業機械では、コンクリート片のような落下物等との衝突の危険を回避するために油圧シリンダをブーム外側に張出したくないという事情がある。
【００１５】
そこで、従来、油圧シリンダを含めたピン連結装置をブーム幅内に設置する技術が提案され、この公知技術として、図１１に示すように二つの油圧シリンダを用いた２本シリンダ式がある。
【００１６】
図１１において、１５，１６は連結される二部材(たとえば図９,１０の両ブームセクションＢｓ，Ｂｓ)のピン連結される端部の左右いずれか片側に設けられた第１連結部としてのブラケット、１７，１８は反対側に設けられた第２連結部としてのブラケットで、これら両連結部のブラケット１５，１６及び１７，１８にピン穴１９，２０が設けられ、この両側ピン穴１９，２０間にピン連結装置１４が設置される。
【００１７】
このピン連結装置１４は、背中合わせに直列配置した二つの油圧シリンダ２４，２５のロッド端同士を一体に結合し、この両シリンダ２４，２５の同時伸縮作動により、シリンダチューブとしての中空状の両ピン２６，２７をピン穴１９，２０に対して挿入し離脱させる構成をとっている(特許文献１参照)。
【特許文献１】特許第３３９９９６０号
【発明の開示】
【発明が解決しようとする課題】
【００１８】
ところが、公知技術によると、油圧シリンダ２４,２５のロッド２８,２９の径方向の動きが拘束されているため、ピン穴１９,２０のヘタリによってピン(シリンダチューブ)２６,２７にガタが生じた場合に、シリンダ２４,２５にかかる荷重を逃がすことができずに無理な荷重が作用する。しかも、両シリンダ２４,２５のロッド２８,２９が一体のため、両シリンダ２４,２５に同時に荷重が作用する。このため、シリンダ２４,２５が破損するおそれがあった。
【００１９】
そこで本発明は、二つの油圧シリンダを背中合わせに組み合わせる二本シリンダ式を前提として、両シリンダに無理な荷重が作用せず、シリンダの破損を防止することができるピン連結装置及びピン連結装置付きの作業機械を提供するものである。
【課題を解決するための手段】
【００２０】
請求項１の発明(ピン連結装置)は、連結すべき二部材に、間隔を置いて対向するピン穴付きの第１及び第２両連結部が設けられ、第１連結部同士を連結する第１ピン、及び第２連結部同士を連結する第２ピンが、上記両連結部間において直列に並んで、かつ、別々の油圧シリンダにより互いに反対方向にストローク作動して上記ピン穴に対し挿入・離脱する状態で設けられるピン連結装置において、次の要件を具備するものである。
【００２１】
(Ａ)  上記第１及び第２両ピンを駆動する第１及び第２両油圧シリンダは、それぞれシリンダチューブがピンに対して一体とされ、かつ、互いのロッド端でシリンダ伸び側反力を伝達し合う状態で互いに独立して直列に配置されていること。
【００２２】
(Ｂ)  この両油圧シリンダの外周に、両ピンをストローク作動可能な状態に支持するガイド部材が設けられていること。
【００２３】
(Ｃ)  上記両油圧シリンダのロッド端部に、ロッド端部を支持しながらシリンダ縮み側反力を上記ガイド部材に伝える支持プレートが、ロッド端部の径方向の一定量の動きを許容し得る状態で設けられていること。
【００２４】
請求項２の発明は、請求項１の構成において、支持プレートがリング状に形成され、この支持プレートの外周側がガイド部材に取付けられる一方、内周側がロッド端部に対し、シリンダ縮み側反力を受けながら互いの間に径方向の隙間が形成される状態で係合するように構成されたものである。
【００２５】
請求項３の発明は、請求項２の構成において、支持プレートが半割りのリング状に形成され、両油圧シリンダのロッド端部に対し径方向に係脱し得る状態でガイド部材に取付けられたものである。
【００２６】
請求項４の発明は、請求項１乃至３のいずれかの構成において、両ピンにそれぞれ外周側に突出する凸部が設けられ、この凸部がガイド部材により回り止めされた状態でストローク作動し得るように構成されたものである。
【００２７】
請求項５の発明は、請求項４の構成において、両ガイド部材が筒状に形成されるとともに、その周壁一部に両ピンのストローク方向に延びる長穴が設けられ、両ピンの凸部がこの長穴に嵌まり込むことによって両ピンが回り止め及びガイドされるように構成されたものである。
【００２８】
請求項６の発明は、請求項１乃至５のいずれかの構成において、ピンの外周に鍔部が設けられる一方、両ガイド部材に、両ピンが両連結部のピン穴に挿入された状態で上記鍔部が当接する第１ストッパと、両ピンがピン穴から離脱した状態で上記鍔部が当接する第２ストッパが設けられたものである。
【００２９】
請求項７の発明は、請求項６の構成において、支持プレートが第２ストッパを兼ねる状態でガイド部材に取付けられたものである。
【００３０】
請求項８の発明は、請求項１乃至７のいずれかの構成において、両油圧シリンダのロッドに、シリンダの伸び側及び縮み側油室に通じる伸び側及び縮み側両油通路が設けられ、この両油通路と外部配管とを接続する配管継手がロッド端部の外周側に設けられたものである。
【００３１】
請求項９の発明(ピン連結装置付きの作業機械)は、複数のブームセクションがピン連結装置により着脱可能に連結されて構成されるブームを備え、上記ピン連結装置として請求項１乃至８のいずれか１項に記載のピン連結装置が設けられたものである。
【発明の効果】
【００３２】
本発明のピン連結装置及びピン連結装置付きの作業機械によると、二部材(請求項９ではブームセクション)を連結する二本のピンをそれぞれ油圧シリンダで駆動する二本シリンダ式を前提として、両シリンダが独立し、かつ、それぞれのロッド端部が径方向に自由に動くため、ピンのガタが生じても、両シリンダに無理な荷重が作用するおそれがない。これにより、両シリンダの破損を確実に防止することができる。
【００３３】
しかも、両シリンダに作用する伸び側反力は互いのロッド端で支持し合い、縮み側反力は支持プレートを介してガイド部材で支持することができる。
【００３４】
この場合、請求項２,３の発明によると、支持プレートをリング状としてその外周側をガイド部材に取付け、内周側をロッド端部に対し、シリンダ縮み側反力を受けながら互いの間に径方向の隙間が形成される状態で係合させる構成としたから、支持プレートをロッド端部に嵌め込んだ状態でガイド部材に取付けるだけでよく、組立が簡単となる。
【００３５】
とくに、請求項３の発明によると、支持プレートを半割り状態でロッド端部に径方向に係脱し得るため、組立が一層簡単となる。
【００３６】
請求項４,５の発明によると、両ピンにそれぞれ外周側に突出する凸部を設け、この凸部がガイド部材により回り止めされた状態でストローク作動し得るように構成したから、両ピンが傾いたり回転したりせずに安定良くストローク作動する。
【００３７】
請求項６,７の発明によると、ピンの外周に鍔部を設ける一方、両ガイド部材に、両ピンが両連結部のピン穴に挿入された状態で上記鍔部が当接する第１ストッパと、両ピンがピン穴から離脱した状態で上記鍔部が当接する第２ストッパとを設けたから、ピンを挿入・離脱位置に確実に停止させることができる。
【００３８】
ところで、本発明のように油圧ピン構造をとる場合、両油圧シリンダの伸び側及び縮み側油室に対して油の給排を行うための油通路を設ける必要がある。
【００３９】
この場合、シリンダ周壁の肉厚部分を利用して油通路をトンネル状に設けることが考えられる。しかし、こうするとシリンダチューブについて油圧機器同様のシビアな加工や取り扱いが必要となるため、製作コストが高くつく。また、シリンダチューブはピン荷重が直接作用するため、その変形によって油通路が破れ、油漏れが生じるおそれもある。
【００４０】
加えて、シリンダチューブはピンと一体にストローク作動するため、油通路に接続された外部配管も移動可能とする必要があり、そのための長い開口を設けなければならない。この結果、装置全体の防塵性を確保することが困難となる。
【００４１】
この点、請求項８の発明によると、両油圧シリンダのロッドにシリンダ伸び側及び縮み側の油通路を設け、両油圧シリンダに対する油の給排をロッド端側からロッドを通して行う構成としたから、シリンダチューブの周壁に油通路を設ける場合と比較して、シリンダの加工が遥かに簡単ですむとともに、取り扱いも容易となる。このため、製作コストを安くすることができる。
【００４２】
また、前記のようにロッドに作用する荷重をロッド端側で逃がすことで、ロッドの変形・破損を防止できるため、油通路からの油漏れが生じるおそれがない。
【００４３】
さらに、ロッドはピンの挿脱時に動かないため、外部配管の移動用の開口を設ける必要もなくなる。このため、装置全体の防塵性を確保し易くなる。
【発明を実施するための最良の形態】
【００４４】
本発明の実施形態を図１〜図７によって説明する。
【００４５】
以下の実施形態において、図１１に示す従来のピン連結装置と同じ部分には同一符号を付して示し、その重複説明を省略する。
【００４６】
第１実施形態(図１〜図６参照)
第１実施形態にかかるピン連結装置４０は、第１連結部としての図左側のブラケット１５，１６を連結する第１ピン４１と、第２連結部としての図右側のブラケット１７，１８を連結する第２ピン４２とを備え、この両ピン４１，４２が互いに反対方向にストローク作動して両側ピン穴１９，２０に対して挿入、離脱する。
【００４７】
図１においては、中心線を挟んで左側にピン挿入状態、右側にピン離脱状態をそれぞれ示す。以下、図１の左側及び図２のピン位置を挿入位置、図１右側のピン位置を離脱位置という。
【００４８】
第１、第２両ピン４１,４２は、それぞれ油圧シリンダ４３,４３によって駆動される。この両油圧シリンダ４３,４３は全く同一構成のため、以下、シリンダ構成に関する説明は基本的に片側のみについて行い、両油圧シリンダ４３,４３の関わり等の他の構成については必要に応じて両シリンダごとに説明を加える。
【００４９】
油圧シリンダ４３は、シリンダチューブ４４と、ピストン４５と、このピストン４５に連結された中空状のピストンロッド(以下、単にロッドという)４６とによって構成され、外部からの油の給排作用により伸縮作動して、ピン４１,４２を挿入、離脱両位置間でストローク駆動する。
【００５０】
シリンダチューブ４４は、外径寸法がピン内径寸法よりも小さく設定され、ピン内側に挿入された状態でそのヘッド側端部(ヘッドカバー４４ａ)がピン４１,４２にボルト止め等によって一体化されている。
【００５１】
両油圧シリンダ４３,４３は、互いのロッド４６,４６が装置中心部で分かれた別個独立のシリンダとして構成され、ロッド端同士で伸び側反力を支持し合う状態で直列に配置されている。
【００５２】
具体的には、図２〜図４にも示すように両シリンダ４３,４３のロッド端部に円形の反力伝達部４７,４７が外周側に突出して設けられ、この反力伝達部４７,４７同士がロッド軸方向に当接し合うことによって伸び側反力が互いのロッド端で支持される。
【００５３】
一方、両ピン４１,４２の外周側には、それぞれピン４１,４２を挿入位置と離脱位置との間で水平にストローク作動させるための円筒状のガイド部材４８,４８が設けられている。
【００５４】
このガイド部材４８,４８は、両側連結部における一方のブラケット１６,１８の内側に片持ち状態で固定され、ピン離脱状態で、両ピン外周に設けられた鍔部４１ａ,４２ａがこのガイド部材４８,４８の内面に接することによって両ピン４１,４２が水平に保たれる。
【００５５】
ガイド部材４８の遊端側には支持プレート４９が取付けられている。
【００５６】
この支持プレート４９は、図３,６等に示すように半円形のリング体４９ａ,４９ｂから成る半割り状に形成され、両リング体４９ａ,４９ｂの内周側がロッド端の反力伝達部４７に係合する状態で、外周縁部がガイド部材４８の遊端部に連結具(たとえば図示のボルト)５０によって着脱可能に取付けられる。
【００５７】
支持プレート４９と反力伝達部４７の係合構造を説明すると、図５に示すように反力伝達部４７の外周内側に段部５１が全周に亘って設けられ、支持プレート４９(リング体４９ａ,４９ｂ)の内周端部がこの段部５１の垂直面に内側から当接している。
【００５８】
これにより、ピン離脱時のシリンダ縮み側反力が反力伝達部４７から支持プレート４９に伝達されてガイド部材４８で支持される。
【００５９】
ここで、支持プレート４９の内周端と段部５１の水平面との間に隙間ｃが形成され、この隙間ｃにより反力伝達部４７、すなわちロッド端の径方向の一定量の動きが許容されるようになっている。
【００６０】
次に、油圧シリンダ４３に対する油の給排構造を説明する。
【００６１】
ロッド４６内の中心部に伸び側油通路５２、その外周側に縮み側油通路５３がそれぞれロッド軸方向に延びるトンネル状に形成され、伸び側油通路５２の先端側はシリンダ伸び側油室５４に、縮み側油通路５３の先端側はシリンダ縮み側油室５５にそれぞれ連通している。
【００６２】
また、両油通路５２,５３の基端側は、それぞれロッド４６の一部である反力伝達部４７に設けられた油通路５６,５７に連通し、この油通路５６,５７の先端側に、ポンプ回路及びタンク回路に通じる外部配管が取付けられるリング状の配管継手５８が接続されている。
【００６３】
こうして、油圧シリンダ４３に対する油の給排がロッド経由で行われるように構成されている。
【００６４】
なお、このピン連結装置４０を図７,８に示す超ロングアタッチメント付きの解体機に適用するについて、油圧シリンダ４３に対する外部配管としてブーム３の基端から先端まで新たに専用の配管を設けてもよいが、ブーム先端の圧砕装置１２を回転させるための油圧モータに対する油圧配管(モータ配管)をシリンダ配管として兼用する構成をとってもよい。こうすればコスト及び重量の点で有利となる。
【００６５】
この場合、モータ配管を各ピン連結装置部分でたとえば手動式の切換弁を介して分岐し、この分岐管路をシリンダ側に接続すればよい。
【００６６】
一方、図１,２,４,６に示すように両ピン４１,４２の鍔部４１ａ，４２ａに、周方向一部からさらに外周側に突出する凸部５９，５９が設けられる一方、両ガイド部材４８，４８の周壁一部にピンストローク方向に延びる長穴６０，６０が設けられ、凸部５９，５９が長穴６０，６０に係合することによって両ピン４１，４２が回り止めされる。
【００６７】
その他の構成として、長穴６０,６０からの塵埃等の侵入を防止するための防塵手段として、図１に示すように長穴６０,６０を外周側から覆うカバー６１がガイド部材４８,４８に設けられている。
【００６８】
また、図１,２に示すように両ガイド部材４８,４８における固定側の端部に第１ストッパ６２,６２が内側に突出して設けられ、両ピン４１,４２の鍔部４１ａ,４２ａが挿入位置でこの第１ストッパ６２,６２に当接し、離脱位置で、第２ストッパを兼ねる支持プレート４９,４９にそれぞれ当接して両位置に確実に停止する。
【００６９】
さらに、ピン挿入状態でのピン抜け止め手段として、図１に示すようにピン先端に抜け止めキャップ６３が取付けられる。
【００７０】
この抜け止めキャップ６３には、中心部内側に取付ボルト６４が固定され、ピン挿入後、この取付ボルト６４が、シリンダチューブ４４のヘッドカバー４４ａに設けられたねじ穴にねじ込まれることにより、同キャップ６３がピン先端に取付けられる。
【００７１】
この場合、取付ボルト６４は、抜け止めキャップ６３をハンドルとして手動でねじ込むことができる。６５はスナップスプリング６６付きの回り止めピンである。
【００７２】
このピン連結装置４０によると、上記のように第１、第２両ピン４１,４２を駆動する油圧シリンダ４３,４３をそれぞれ独立して、かつ、それぞれのロッド端部が隙間ｃの範囲で径方向に自由に動く状態で取付けているため、ピン穴１９,２０のヘタリによってピン４１,４２にガタが生じても、両シリンダ４３,４３に無理な荷重が作用するおそれがない。これにより、両シリンダ４３,４３の破損を確実に防止することができる。
【００７３】
しかも、両シリンダ４３,４３に作用する伸び側反力は互いのロッド端(反力伝達部４７,４７)で支持し合い、縮み側反力は支持プレート４９を介してガイド部材４８で支持することができる。
【００７４】
これにより、ガイド部材４８でシリンダ４３の伸び側反力も縮み側反力も受ける必要がないため、ガイド部材４８とブラケット１６,１８の固定は小さな力でよい(ボルト固定する場合はボルト数を減らすことができ、あるいは小径のボルトによる固定でよい)。
【００７５】
また、シリンダロッド４７とガイド部材４８を固定する必要もないため、構造を簡略化でき、ピン連結装置の幅寸法を小さく抑えることができる。
【００７６】
この場合、支持プレート４９をリング状としてその外周側をガイド部材４８に取付け、内周側を反力伝達部４７に対し、シリンダ縮み側反力を受けながら互いの間に径方向の隙間ｃが形成される状態で係合させる構成としたから、支持プレート４９を反力伝達部４７に嵌め込んだ状態でガイド部材４８に取付けるだけでよく、組立が簡単となる。
【００７７】
さらに、支持プレート４９を半割り状態で反力伝達部４７に径方向に係脱し得るため、組立が一層簡単となる。
【００７８】
また、シリンダ４３のロッド４６にシリンダ伸び側及び縮み側の油通路５２,５３,５６,５７を設け、油圧シリンダ４３に対する油の給排をロッド端側からロッド４６を通して行う構成としたから、シリンダチューブ４６の周壁に油通路を設ける場合と比較して、シリンダ４３の加工が遥かに簡単ですむとともに、取り扱いも容易となる。このため、製作コストを安くすることができる。
【００７９】
また、前記の荷重逃がし作用によってロッド４６の変形・破損を防止できるため、油漏れが生じるおそれがない。
【００８０】
さらに、ロッド４６はピン４１,４２の挿脱時に動かないため、外部配管の移動用の開口を設ける必要もなくなる。このため、装置全体の防塵性を確保し易くなる。
【００８１】
第２実施形態(図７参照)
第２実施形態において、第１実施形態と同一部分には同一符号を付して示し、その重複説明を省略している。また、左右同一構成であるため、ここでは第１ピン側である左側半部のみを図示し、第２ピン側である右側半部の図示を省略している。
【００８２】
第２実施形態においては、ピン４１が油圧シリンダ４３のシリンダチューブを兼ねる構成、すなわち、シリンダチューブとピン４１とを一体物として形成している。
【００８３】
ピン４１は、ロッド４６と反対側の端部４１ｂが閉じた筒状に形成され、この端部４１ｂが油圧シリンダ４３のヘッドカバーを兼ねている。
【００８４】
このピン端部４１ｂにはボルト通し穴６７が径方向に貫通して設けられ、ピン挿入状態でボルト６８がこのボルト通し穴６７に通されることによってピン４１(シリンダチューブ)が抜け止め及び回り止めされる。
【００８５】
なお、第１実施形態における抜け止め手段としてのピン４１の鍔部４１ａと第１ストッパ６２、それにキャップ６３、取付ボルト６４、スナップリング６６付きの回り止めピン６５をそれぞれ不要につき省いている。
【００８６】
他の実施形態
(１)  上記実施形態では、支持プレート４９を、ピン４１,４２の離脱位置用の第２ストッパとして兼用する構成をとったが、この第２ストッパを支持プレート４９とは別に設けてもよい。
【００８７】
(２)  上記実施形態では、組立の容易性を考慮して支持プレート４９を径方向に着脱できるように一対のリング体４９ａ,４９ｂから成る半割り状に形成したが、同プレート４９を一つのリング体として形成してもよい。
【００８８】
(３)  上記実施形態では、支持プレート４９の内周側とロッド端部(反力伝達部４７)の外周側との間に隙間ｃを設けることによってロッド端側を一定範囲で径方向に自由動可能に支持する構成をとったが、両者間にゴム等の弾性体を介在させ、この弾性体の弾性の範囲でロッド端側の径方向の自由動を許容する構成をとってもよい。
【００８９】
(４)  本発明はブームセクション同士の連結部分に限らず、ブーム先端に対する圧砕装置１２の取付部分(圧砕装置１２に代えてバケットを取付ける場合はそのバケット取付部分)や、各ブームシリンダ８〜１１の取付部分にも適用することができる。また、解体機に限らず、クレーンや油圧ショベルをはじめとする各種作業機械のアタッチメント取付部分や部材同士の連結部分にも適用することができる。
【図面の簡単な説明】
【００９０】
【図１】本発明の第１実施形態にかかるピン連結装置の断面図である。
【図２】図１の左側半部のみを拡大して示す図である。
【図３】図２のＩＩＩ−ＩＩＩ線拡大断面図である。
【図４】図２のＩＶ−ＩＶ線拡大断面図である。
【図５】図２の一部をさらに拡大して示す図である。
【図６】同実施形態における第１ピンと油圧シリンダ及びガイド部材の分解斜視図である。
【図７】本発明の第２実施形態にかかるピン連結装置の半部断面図である。
【図８】同装置が適用される解体機の概略側面図である。
【図９】解体機の組立・分解時におけるブームセクション同士の連結状態を示す部分側面図である。
【図１０】図９と異なる連結構造を示す一部拡大側面図である。
【図１１】従来のピン連結装置の断面図である。
【符号の説明】
【００９１】
Ａ  作業機械としての解体機のベースマシン
Ｂ  作業アタッチメント
３  ブーム
１５,１６  第１連結部を構成するブラケット
１７,１８  第２連結部を構成するブラケット
１９,２０  ピン穴
４０  ピン連結装置
４１  第１ピン
４２  第２ピン
４１ａ,４２ａ  鍔部
４３  油圧シリンダ
４４  油圧シリンダのシリンダチューブ
４６  同ロッド
４７  反力伝達部
４８  ガイド部材
４９  第２ストッパを兼ねる支持プレート
４９ａ,４９ｂ  支持プレートを構成するリング体
５２,５３,５６,５７  油通路
５９  凸部
６０  長穴
６２  第１ストッパ
【図１】
2006057837.tif 000003
【図２】
2006057837.tif 000004
【図３】
2006057837.tif 000005
【図４】
2006057837.tif 000006
【図５】
2006057837.tif 000007
【図６】
2006057837.tif 000008
【図７】
2006057837.tif 000009
【図８】
2006057837.tif 000010
【図９】
2006057837.tif 000011
【図１０】
2006057837.tif 000012
【図１１】
2006057837.tif 000013